(57)【要約】 【課題】  従来の離床報知システムは、圧力や荷重の数値によって離床を判断する方法を用いているため、人体以外のものや、寝返りをうった程度の荷重移動でも離床と誤判断する頻度が高く、離床検出の正確性に問題がある。また、凸凹のある離床センサーでは離床報知対象者が違和感を覚えるなど使い勝手が悪い。【解決手段】  生体検出装置（特許出願番号２００２−２４５９４４）を離床検出手段として用いる。生体検出装置に接続された発光あるいは発音装置が周囲に離床を警告すると同時に、離床信号を受けた送信機が離れた場所に設置してある報知機に信号を送信し、報知機が表示あるいは音声あるいは光を発生して離床を通知することによって、離れた場所にいる人間が離床報知対象者が離床したことを正確に認知できる離床報知システムを提供する。【選択図】  図１
2005185493.tif 000002
【特許請求の範囲】
【請求項１】
生体検出装置（特許出願番号２００２−２４５９４４）を用いて入院患者あるいは乳幼児あるいは被介護者の離床を報知するシステムであり、
当該システムは当該生体検出装置から検出された離床信号を送信する送信機を備え、離床信号が発生した時に、生体検出装置と離れた場所に設置された報知機に対象者が離床したことが報知されることを特徴とした離床報知システム。
【請求項２】
前記送信機は、前記生体検出装置に接続されて生体検出装置からの離床信号を受信した場合に、ローカルネットワークあるいは既存のナースコールシステムを利用して対象者が離床したことを報知機に報知することを特徴とした離床報知システム。
【請求項３】
前記送信機の一部あるいはベッドの一部に前記生体検出装置と接続された発光装置が取り付けられており、生体検出装置が離床を検出した際に当該発光装置が同時に光を発することにより対象者が離床したことを周囲に警告することを特徴とした離床報知システム。
【請求項４】
前記送信機の一部あるいはベッドの一部に前記生体検出装置と接続された発音装置が取り付けられており、生体検出装置が離床を検出した際に当該発音装置が同時に音を発することにより対象者が離床したことを周囲に警告することを特徴とした離床報知システム。
【請求項５】
前記報知機は、離床報知対象者を表示する表示板あるいは音声出力装置あるいは発光装置を備え、離床報知対象者とは離れた場所に設置され、
前記送信機から送信された離床を示す信号を受信した場合に、離床対象者あるいはそのベッド番号が表示板に表示され、音あるいは光を発することにより離床が報知されることを特徴とした離床報知システム。
【発明の詳細な説明】
【技術分野】
【０００１】
本発明は、ベッドにいる入院患者や被介護者および乳幼児が離床したか否かを周囲に警告し、離れた場所にいる人間が認知することができる生体検出装置を使用した離床報知システムに関する。
【背景技術】
【０００２】
一般的に病院や家庭で使用されている離床報知システムは、離床センサーなどの離床検出装置を利用して寝ている人物の荷重や圧力を感知し、その値が閾値を超えた時に離床と判断するものが多く、その判定を離れた場所に通報するシステムとして構築されている。
（例えば、特許文献１参照。）
【０００３】
また、以上のような離床センサーは、回路や電源などの周辺機器を組み込んだ装置として、ベッドの下またはベッド付近の床へ敷かれるように設置されることがほとんどである
。（例えば、特許文献２参照。）
【特許文献１】特開平１１−０７６１７８号公報
【特許文献２】特開平１０−０９４５２５号公報
【発明の開示】
【発明が解決しようとする課題】
【０００４】
しかしながら、ベッドにかかる圧力や荷重の数値によって離床を判断する方法では、人体以外のものや、寝返りをうった程度の荷重移動でも離床と誤判断する頻度が高く、離床検出の正確性に問題がある。
【０００５】
さらに、回路や電源ケーブルなどの周辺機器の影響で離床センサーに凸凹が生じるため
、離床報知対象者が離床センサーを敷いてあるベッドに横たわった際に違和感を覚え、床ずれを起こす可能性もある。また離床センサーを床に敷いた場合には、既に離床報知対象者が立ち上がってベッドから離れた時に離床と判断するため、離床センサーがベッドからの落下防止の役割を果たせない可能性があるという問題もある。
【課題を解決するための手段】
【０００６】
本発明は、生体検出装置（特許出願番号２００２−２４５９４４）を離床検出手段として離床報知対象者が横たわるベッドマットの下などに敷いて利用し、離床を知らせる信号を受けた送信機が、離れた場所に設置してある報知機に信号を送信し、報知機が表示あるいは音声あるいは光を発生することにより離床を通知することによって、離床対象者から離れた場所にいる人間でも離床対象者が離床したことを正確に認知できる離床報知システムを提供することで上記課題を解決する。
【０００７】
また同時に、ベッドあるいは送信機に備え付けられた表示あるいは音声あるいは発光装置が離床検出信号を受けて、発音あるいは発光することによって、ベッドの周囲にいる人間に離床対象者が離床したことを正確に認知できる離床報知システムを提供することで上記課題を解決する。
【発明の効果】
【０００８】
本発明は、圧電素子を用いた薄型の、生体による空間電位の変化が容量に与える変化を共振周波数の変化として検出する生体検出装置を離床判定手段である離床検出装置として用いることにより、離床の誤判断の可能性が少なく、かつ離床対象者に違和感なく使用可能な離床報知システムを提供することが可能になる。
【発明を実施するための最良の形態】
【０００９】
以下、図面を参照して本発明の一実施形態について説明する。図１は、本発明の一実施形態における離床報知システムを示す構成図である。図１では生体検出装置３はシーツあるいはマットレスカバー４の下に敷かれているが、マットレス２の下に敷かれる場合でも機能する。また、生体検出装置３はベッドに敷かれるだけではなく、車椅子などの座席に敷かれてそこからの離床を検出することも可能である。さらに図１では発光装置６および発音装置７は生体検出装置３に接続されているが、それらは送信機５に接続されたり、送信機５の側面に取り付けられる場合もある。
【００１０】
生体検出装置３は導電性シートあるいは導電性織布に貼り付けた薄膜状の圧電素子を検出素子として利用した装置で、生体による空間電位の変化が容量に与える変化を共振周波数の変化として検出することで離床の判定をする装置である。従って、生体ではない荷物などを検出することなく誤判断の可能性が低くなり、装置自体も薄いシートで凸凹が無いため、離床報知対象者が違和感を覚えることなく利用可能である。
【００１１】
送信機５は生体検出装置３とケーブルで接続されており、生体検出装置から受けた信号
、すなわち離床したか否かを、ローカルネットワークあるいは既存のナースコールシステムなどを利用して報知機８に送信する。
【００１２】
送信機５からの信号を受けた報知機８は、表面の表示板に離床した対象者の部屋番号や名前などの情報を表示するとともに、ブザー音などの音声や、ＬＥＤなどの点滅による光などを発生させて、対象者が離床したことを音声や視覚で示すことによって、対象者と離れた場所にいる人にも容易に対象者が離床したか否かを判断することができる。
【００１３】
他方、生体検出装置３は発光装置６あるいは発音装置７と接続されており、離床が検出された際に光や音が同時に発生することにより、離床対象者の周囲にいる人間が監視の目を離していても離床にすぐ気づくことができる。  
【図面の簡単な説明】
【００１４】
【図１】本発明の一形態である離床報知システムを示す構成図である。
【符号の説明】
【００１５】
１  ベッド
２  マットレス
３  生体検出装置
４  シーツあるいはマットレスカバー
５  送信機
６  発光装置
７  発音装置
８  報知機
【図１】
2005185493.tif 000003